(57)【特許請求の範囲】
【請求項１】
トイレ室内のトイレに隣接した所定の位置に設けられてトイレに座る使用者の上体を支持するトイレ用上体支持装置において、前記トイレ用上体支持装置は、
その上に使用者の腕を支持する支持板と、
動作信号を供給する制御部と、からなり、
前記支持板は、
前記支持板が下方に回転して引き出されるときに下方に向く前記支持板下面の下に設けられ、かつ前記支持板が壁から引き出されるときに壁に接触して前記支持板にかかる荷重を支持するようになっている支え部と、
前記支持板の片端部の両側に設けられ、かつ壁に埋め込まれた装置本体の下端部の両側壁に連結されたヒンジ部と、からなり、
前記ヒンジ部は、前記支持板の片端部の各両側に設けられたヒンジ軸と、前記ヒンジ軸の何れか一方に嵌合して前記ヒンジ軸をばねで弾性的に支持する弾性部材と、を含み、
前記支持板は壁と使用者上体前方部との間で、その片端部の周りを下方にまたは上方に回転することを特徴とするトイレ用上体支持装置。
【請求項２】
前記支持板は、
前記支持板上面の中間内側部に設けられ、かつヒンジで開閉可能な蓋を有する蓋状部と、
前記支持板の蓋状部の両側に配設された透明窓のそれぞれに設けられて外部電力で作動し、かつ前記制御部で制御される遠赤外線ランプと、
前記支持板の上面に固着するクッション部材と、
をさらに備えることを特徴とする請求項１に記載の上体支持装置。
【請求項３】
前記ヒンジ軸の一端はモータの出力軸に連結されるので、前記支持板が前記制御部の操作に応じて自動的に開閉することを特徴とする請求項１に記載の上体支持装置。
【請求項４】
前記制御部は、制御パッドと、前記制御パッドのキーボタンを操作することにより選択されたコマンドに対応して外部電力で動作を行う制御回路と、からなることを特徴とする請求項１に記載の上体支持装置。
【請求項５】
前記制御部はブロック形状を有し、かつ前記支持板から離れた位置にて前記壁上に設けられることを特徴とする請求項４に記載の上体支持装置。
【請求項６】
前記制御部は前記装置本体と一体的に設けられることを特徴とする請求項４に記載の上体支持装置。
【請求項７】
前記装置本体は、
前記支持板を収容する収容空間と、
前記収容空間の各両側壁の下部位置に形成されて前記支持板のヒンジ部がそれに挿入される挿入孔と、
前記収容空間内の上部位置に設けられて、前記収容空間内に収容されている前記支持板がその自重で下方に回転して前記収容空間から引き出されることを防止するストッパと、
前記収容空間の前面上部位置に設けられて前記引き出された支持板上と前記支持板の周囲領域上とに光を出射する光源と、
を有することを特徴とする請求項１に記載の上体支持装置。
【請求項８】
前記装置本体は壁に埋め込まれることを特徴とする請求項７に記載の上体支持装置。
【請求項９】
前記装置本体はねじ結合方式で壁に取り付けられることを特徴とする請求項７に記載の上体支持装置。
【請求項１０】
使用者に隣接した位置において前記支持板下面の下に設けられる振動部をさらに含むことを特徴とする請求項９に記載の上体支持装置。
【発明の詳細な説明】
【技術分野】
【０００１】
本発明は、トイレに座る使用者の上体を支持する上体支持装置に関する。
【背景技術】
【０００２】
一般に、トイレ使用者のほとんどは、トイレに座って排便する際に、その上体を前方に折り曲げてその腕を脚に置く。
【０００３】
しかしながら、かかる姿勢は悪い習慣、つまり無意識に日常生活で悪い姿勢をする習慣をつけてしまう。さらに、かかる姿勢は便の排出に悪い影響を及ぼす。
【０００４】
さらに、使用者が上記姿勢で無理して排便で力む場合、血圧が上昇して身体に悪影響を及ぼすという問題がある。
【０００５】
最近、過度のストレスと減量の試みに起因する便秘者数が顕著に増加しており、かかる便秘者の場合、排便時の不安感のためにスムーズな排便を行うことがさらに困難になっている。
【０００６】
特に、排便者が排便時に他の日常行為を数分間行うことを可能にする別個の装置があれば、多忙な生活を送る人々に大いに役立つ。
【０００７】
この目的を達成して前述の問題を克服するため、トイレ用上体支持板が、本発明の出願人によって出願された韓国実用新案登録番号第３９０２６７号（出願日：２００５年４月１４日、登録日：２００７年７月１１日）で提案されている。前記従来の上体支持板には、使用者の腕をその上で支持する支持板と、前記支持板に連結されて前記支持板を支持する支持杆と、前記支持杆がそれに対して所定の角度範囲内で回転可能なように挿入され、かつトイレ室内に取り付けられて前記支持板と前記支持杆とをトイレ室内での所定の位置に位置決めする取付杆と、が含まれている。
【０００８】
本発明の出願人が開示した前記上体支持板のサンプルはすでに開発されて、その商品化も行われており、非常に前向きな反応を受けた。特に、前記上体支持板は高齢者や脆弱者から良好な反響があったが、前記従来の上体支持板の場合、前記支持板が比較的に重いことから、高齢者や脆弱者が前記支持板を持ち上げたり、押したりすることが困難であった。さらに、冬季に使用者が腕を前記上体支持板に載せる際、支持板が冷たくなっているため使用者が寒気を感じることもあるという欠点がある。よって、これらの問題に対する解決策が必要になる。
【発明の概要】
【発明が解決しようとする課題】
【０００９】
そこで、本発明は上記の従来技術の問題点を念頭に置いてなされ、本発明の目的は、使用者が排便時に腕をその上に載せることができ、限定された空間のトイレ室内における使用者の自由な動きが確保されるように構成され、トイレ室のドアの開閉を妨げず、さらに、トイレ室の床洗浄作業を妨げず、しかも、冬季に使用者の体温を維持する暖房機能と、使用者の腹部を刺激して便の排出を促進する振動機能と、を有するトイレ用上体支持装置を提供することにある。
【課題を解決するための手段】
【００１０】
上記目的を達成するために、本発明は、トイレに隣接した所定の位置に設けられたトイレに座る使用者の上体を支持するトイレ用上体支持装置を提供し、前記上体支持装置には、使用者の腕をその上で支持する支持板が含まれ、前記支持板は片端部の周りの壁と使用者上体前方部との間で、上方向または下方向に回転する。
【発明の効果】
【００１１】
本発明に係るトイレ用上体支持装置では、使用者が排便時にその腕を支持板上に載せることができるので、使用者の上体が前方に傾きすぎないように正しい姿勢を保ち、その結果、排便に起因する血圧の上昇を防止する。
【００１２】
さらに、通常、未使用状態では、前記支持板は直立状態で壁内に挿入、格納される。そのため、限定された空間のトイレ室内で使用者の自由な動きが確保され、前記上体支持装置はトイレ室のドアの開閉を妨げない。加えて、トイレ室の床洗浄時、前記上体支持装置はその洗浄作業を妨げることもない。水が前記上体支持装置の内部に浸入することが防止されているため、金属成分が錆びる、また、前記上体支持装置が水垢で覆われることも防止されている。そして、前記上体支持装置の電子部分も湿気を吸収したり、水に直接接触することが防止されている。
【図面の簡単な説明】
【００１３】
【図１】本発明に従ってトイレ室内の壁に内蔵された前記上体支持装置を説明する斜視図である。
【図２】本発明に従ってトイレ室内の壁に内蔵された前記上体支持装置の下方に引き出された状態を説明する斜視図である。
【図３】本発明の一実施形態に従って下方に引き出された状態での前記上体支持装置の構造を示す斜視図である。
【図４】本発明の実施形態に従って下方に引き出された状態での前記上体支持装置の構造を示す分解斜視図である。
【図５】本発明の実施形態に従って下方に引き出された状態での前記上体支持装置の構造を示す平断面図である。
【図６】本発明の実施形態に係るヒンジ部の構造を示す部分側断面図である。
【図７】本発明に係る上体支持装置の本体と一体化した制御部を示す斜視図である。
【図８】本発明に従って壁面に取り付けられた前記上体支持装置を示す斜視図である。
【図９】本発明に従って壁面に取り付けられた前記上体支持装置の分解斜視図である。
【図１０】本発明に従って壁面に取り付けられた前記上体支持装置の部分平断面図である。
【図１１】本発明に係る上体支持装置に取り付けられた振動部を示す部分側断面図である。
【発明を実施するための形態】
【００１４】
以下、本発明について添付図面を参照し詳細に説明する。
【００１５】
図１は本発明に従ってトイレ室内の壁に内蔵された前記上体支持装置を説明する斜視図であり、図２は本発明に従ってトイレ室内の壁に内蔵された前記上体支持装置の下方に引き出された状態を説明する斜視図であり、図３は本発明の一実施形態に従って下方に引き出された状態での前記上体支持装置の構造を示す斜視図であり、図４は本発明の実施形態に従って下方に引き出された状態での前記上体支持装置の構造を示す分解斜視図であり、図５は下方に引き出された状態での前記上体支持装置の構造を示す平断面図であり、図６は本発明の実施形態に係るヒンジ部の構造を示す部分側断面図であり、図７は前記上体支持装置の本体と一体化した制御部を示す斜視図であり、図８は壁面に取り付けられた前記上体支持装置を示す斜視図であり、図９は壁面に取り付けられた前記上体支持装置の分解斜視図であり、図１０は壁面に取り付けられた前記上体支持装置の部分平断面図であり、図１１は前記上体支持装置に取り付けられた振動部を示す部分側断面図である。
【００１６】
図１から図４に示したように、本発明に係る上体支持装置１０はトイレ１に隣接した所定の位置に設けられて使用者の上体を支持し、前記上体支持装置１０には、使用者の腕をその上で支持する支持板１１が含まれ、前記支持板１１は壁２と使用者上体前方部との間で、その片端部の周りを回転可能に構成される。
【００１７】
本発明では、ヒンジで開閉する蓋状部１１ａが前記支持板１１の上面中間内側部に設けられており、透明窓が前記支持板１１の蓋状部１１ａの両側に配設されており、外部電力で作動し、かつ、動作信号を供給するため制御部１９で制御される遠赤外線ランプ１１ｂが前記各透明窓内に設けられている。さらに、クッション部材１１ｄが前記支持板１１の上面に固着しており、支え部１３は、前記支持板１１下面の下に設けられ、下方に回転し前記壁２から引き出された状態で見られる。前記支え部１３は、前記支持板１１が引き出されると前記壁２に接触して、前記支持板１１にかかる荷重を支える働きをする。また、前記壁２内に埋め込まれた装置本体３０の下端部の両側壁に取り付けられたヒンジ部１５が前記支持板１１の片端部の両側に連結している。
【００１８】
ここで、前記遠赤外線ランプ１１ｂは前記透明窓を介して前記装置の外側に光と熱を放射する働きをするため、冬季に冷気を和らげる。
【００１９】
さらに、紫外線ランプを前記遠赤外線ランプ１１ｂの代わりに用いることもできるが、その場合には、前記透明窓は、紫外線を部分的に遮断して使用者の皮膚への過度の紫外線照射傷害を防止するよう半透明材料からなるのが好ましい。
【００２０】
加えて、ゴム、シリコンまたはスポンジを革で覆い、前記クッション部材１１ｄとして使用することもできる。
【００２１】
前記支え部１３は腕木としての支え部である。前記支持板１１に一体構造として形成することも、あるいは、別途結合またはボルトを用いて前記支持板１１に取り付けることもできる。前記支持板１１が下方に回転して使用者の上体の前方に配置されると、前記支え部１３の一端は前記壁２に接触するため、前記壁２上の支持板１１にかかる荷重を支えて、前記上体支持装置の安定した支持機能を実現する。
【００２２】
図５と図６に示したように、前記ヒンジ部１５には、前記支持板１１の片端部の各両側に設けられるヒンジ軸１５ａと、前記ヒンジ軸１５ａの１つに嵌合して前記ヒンジ軸１５ａをばねで弾性的に支持する弾性部材１５ｂと、が含まれる。
【００２３】
ここで、前記ヒンジ軸１５ａの残りの１つは、前記支持板１１が前記制御部１９の操作に応答して自動的に開閉できるようにモータ１５ｃの出力軸に連結される。
【００２４】
ブロック形状を有する前記制御部１９は、前記支持板１１から離れた位置にて前記壁上に置くことも、あるいは、図７に示したように前記装置本体３０と一体的に設けることもできる。前記制御部１９には、前記制御パッド１９ａのキーボタンを操作することにより選択されたコマンドに対応して、外部電力で動作を行う制御パッド１９ａと制御回路１９ｂとが含まれる。
【００２５】
前記制御部１９は、前記支持板１１内に取り付けられる前記遠赤外線ランプ１１ｂと、前記モータ１５ｃと、後述する振動部２０および光源３４と、に電力線および制御信号供給配線を介して接続されるため、駆動電力および制御信号を前記電子部分に供給する。
【００２６】
ここで、前記制御部１９の電力線および制御信号供給配線は、別個の成型管を介して前記装置本体３０のモータ１５ｃおよび光源３４に接続することも、あるいは、壁内に埋め込まれた状態で前記電子部分に接続することもできる。
【００２７】
さらに、前記制御部１９は、前記制御信号供給配線を用いる代わりに、ブルートゥース通信またはＲＦ（無線周波数）通信で制御信号を前記電子部分に送信することもできる。
【００２８】
なお、前記装置本体３０は、その中に、前記支持板１１を収容する収容空間３１と、前記支持板１１のヒンジ部１５が連結され、前記収容空間３１の各両側壁の下部位置に形成される挿入孔３２と、を有する。前記装置本体３０は、前記収容空間３１の上部位置に設けられ、前記収容空間３１内に収容される前記支持板１１がその自重のために不所望に下方に回転して前記収容空間３１から引き出されることを防止するストッパ３３をさらに有する。また、前記装置本体３０は、前記収容空間３１の前面の上部位置に設けられ、下方に引き出される前記支持板１１上と前記支持板１１の周囲領域上とに光を出射する前記光源３４をもさらに有する。
【００２９】
ここで、前記装置本体３０は、前記壁２内に埋め込むことも、あるいは図８から図１０に示したように、ねじを用いて前記壁２に取り付けることもできる。
【００３０】
前記ストッパ３３は、前記支持板１１の第２端部に設けられる係止突起に対応する弾性フックであってもよい。
【００３１】
前記光源３４は、前記装置本体３０内に埋め込まれた円形ブロックに嵌合するように構成される角度調整可能な光源であってもよい。
【００３２】
新築の建物の場合、前記装置本体３０を前記壁２内に埋め込む設置方法を使用することができ、ねじを用いて前記装置本体３０を前記壁２に取り付ける設置方法は既存の建物に適用できるが、これらの設置方法は、前記電力線および前記制御信号供給配線の接続効率を考慮して選択的に使用可能である。
【００３３】
なお、図１１に示したように、本発明には、下方に引き出された状態で見て、使用者に隣接した位置において前記支持板１１下面の下に設けられる前記振動部２０をさらに含むこともできる。
【００３４】
前記振動部２０は、モータの回転で偏心的に回転する振動体である。
【００３５】
前記振動部２０は使用者の腹部をマッサージする働きをする。つまり、使用者がその腹部を前記振動部２０に接触させて前記振動部２０に対応する前記制御パッド１９ａの制御ボタンを押すと、前記振動部２０は使用者の腹部をマッサージする。特に、便秘の使用者の場合、前記振動部２０は使用者の大腸を刺激するため、便を容易に排出することができる。
【００３６】
ここで、前記振動部２０は前記支持板１１に嵌合方式またはねじ結合方式で連結することもでき、その上、前記振動部２０は、その前方方向に対する傾斜角度を調整できるように構成してもよい。
【００３７】
前述の構造を持つ本発明では、前記支持板１１は、手動手段でも自動手段でも、下方に引き出すことができるが、以下に、前記支持板１１の自動手段による引き出し方法を説明する。
【００３８】
まず、トイレに座る使用者が前記制御部１９の制御パッド１９ａの引き出しボタンを操作すると、前記モータ１５ｃを作動させるので、前記支持板１１は使用者の上体の前方で前記対応するヒンジ軸１５ａを介して前記モータ１５ｃから伝達される回転力で下方に回転する。
【００３９】
その後、使用者は、腕を前記支持板１１に載せて排便できるとともに、排便中に使用者は読書や化粧などの他の日常行為を行うこともできる。
【００４０】
この状態において、使用者が前記制御パッド１９ａの前記遠赤外線ランプ１１ｂに関するボタンを操作する場合、前記制御回路１９ｂは前記遠赤外線ランプ１１ｂを動作させるため、冬季に使用者の体温を維持したり、加熱治療を行うことができ、紫外線ランプが遠赤外線ランプの代わりに使用される場合には、滅菌機能を実施することができる。
【００４１】
さらに、読書を所望する際は、前記光源３４を照明に使用することもできる。
【００４２】
加えて、使用者が、その腹部を前記振動部２０に接触させて前記対応する前記制御パッド１９ａの制御ボタンを押すと、前記振動部２０の振動で前記腹部マッサージを実施することができ、特に便秘の使用者の場合、前記振動部２０は使用者の大腸を刺激するため、スムーズな排便を促す。
【００４３】
排便後、前記制御部１９の制御パッド１９ａの引き込みボタンが操作されると前記モータ１５ｃは逆方向に回転するので、前記支持板１１は、前記対応するヒンジ軸１５ａを介して前記モータ１５ｃから伝達される回転力で上方に回転して前記装置本体３０に引き込まれる。
【００４４】
本発明の好適な実施形態を例示目的で開示したが、本発明は前記例示的な実施形態の構造と動作に限定されるものではない。この優れた技術は、添付の特許請求の範囲に開示された本発明の範囲と真の趣旨から逸脱することなく、さまざまな変更、追加および代替が可能である。
【００４５】
従って、かかる変更、追加および代替も本発明の範囲内に包含されるものであることはいうまでもない。
【産業上の利用可能性】
【００４６】
上記のように、本発明の上体支持装置により、使用者は排便時にその腕を支持板上に載せることができるため、正しい姿勢を保つため、排便時に使用者の上体が前方に傾きすぎ起因する血圧の上昇を防止する。
【００４７】
さらに、通常では、前記支持板は直立状態で壁内に挿入・格納されるので、限定された空間のトイレ室内で使用者の自由な動きが確保され、前記上体支持装置はトイレ室のドアの開閉を妨げない。
【００４８】
加えて、トイレ室の床洗浄時、前記上体支持装置はその洗浄作業を妨げることもなく、水が前記上体支持装置の内部に浸入することが防止されているので、その金属成分が錆びずに前記上体支持装置は水垢で覆われることも防止されている。また、前記上体支持装置の電子部分が湿気を吸収したり、水に直接接触することが防止されている。
【００４９】
その上、本発明では、前記支持板は、制御ボタンを操作することにより自動的に下方または上方に回転して開閉できるので、高齢者や脆弱者も前記上体支持装置を容易に使用することができる。
【００５０】
さらに、熱を発生する機能や滅菌機能が前記支持板に設けられているため、冬季の使用者の体温を保持し、衛生状態を継続的に維持することが困難なトイレ室内での個人衛生を向上させることができる。
【００５１】
加えて、本発明の上体支持装置が高齢者や脆弱者、特に代謝が悪い高齢者に使用される場合、本発明の上体支持装置は排便を促進できるため、スムーズな排便を促す。
【００５２】
また、本発明により、使用者がその上に腕を載せることができるとともに、本や漫画本をその上に置くこともできるため、便の排出ばかりでなく、他の日常行為を行うことも可能にする。
【図１】
0005606309.tif 000002
【図２】
0005606309.tif 000003
【図３】
0005606309.tif 000004
【図４】
0005606309.tif 000005
【図５】
0005606309.tif 000006
【図６】
0005606309.tif 000007
【図７】
0005606309.tif 000008
【図８】
0005606309.tif 000009
【図９】
0005606309.tif 000010
【図１０】
0005606309.tif 000011
【図１１】
0005606309.tif 000012